(57)【要約】【課題】端末装置に応じたＧＵＩを提供する電子機器及びＧＵＩ表示システムを提供すること【解決手段】ネットワーク接続された端末装置の性能的特徴を示す情報を取得する特徴取得部と、前記特徴取得部が取得した性能的特徴に基づいて自機を操作するためのＧＵＩを生成するＧＵＩ生成部と、前記ＧＵＩ生成部が生成したＧＵＩを前記端末装置に送信する送信部と、を備える【選択図】図２
2015018367.tif 000002
【特許請求の範囲】
【請求項１】
ネットワーク接続された端末装置の性能的特徴を示す情報を取得する特徴取得部と、前記特徴取得部が取得した性能的特徴に基づいて自機を操作するためのＧＵＩを生成するＧＵＩ生成部と、前記ＧＵＩ生成部が生成したＧＵＩを前記端末装置に送信する送信部と、を備える電子機器。
【請求項２】
前記ＧＵＩ生成部はさらに前記端末装置に対応付けられた使用者情報と前記端末装置に対応付けられた操作特徴情報と自機の使用状態情報の内、少なくとも１以上の情報にも基づいてＧＵＩを生成する請求項１に記載の電子機器。
【請求項３】
前記ＧＵＩ生成部はＧＵＩの表示領域内に優先領域に設定し、使用される可能性が高い機能を実行するためのアイコンを前記優先領域に配置する請求項１又は請求項２に記載の電子機器
【請求項４】
前記ＧＵＩ生成部は前記端末装置がネットワークに接続したとき又は前記端末装置からのＧＵＩの生成要求に応じてＧＵＩを生成する請求項１〜請求項３のいずれか１項に記載の電子機器。
【請求項５】
前記ＧＵＩ生成部は複数のアイコンを変更可能に配置したＧＵＩを生成する請求項１〜請求項４のいずれか１項に記載の電子機器。
【請求項６】
ネットワーク接続された電子機器と端末装置とを備えるＧＵＩ表示システムであって、
前記電子機器は
前記端末装置の性能的特徴を示す情報を取得する特徴取得手段と、
前記特徴取得手段が取得した性能的特徴に基づいて自機を操作するためのＧＵＩを生成するＧＵＩ生成手段と、
前記ＧＵＩ生成手段が生成したＧＵＩを前記端末装置に送信する送信手段と、
を備え、
前記端末装置は
前記送信手段から送信されたＧＵＩを受信する受信手段と、
前記受信手段が受信したＧＵＩを表示する表示手段と、
を備えることを特徴とするＧＵＩ表示システム。
【発明の詳細な説明】
【技術分野】
【０００１】
本発明は、電子機器及びＧＵＩ表示システムに関する。
【背景技術】
【０００２】
従来より電子機器等の電子機器は機器本体に取り付けられた操作ボタンにより操作が可能である。そのような電子機器には機器本体との間で赤外線等の近距離無線通信可能なリモコンを備えるものがある。その場合ユーザはリモコンを用いて電子機器を操作することができる。
【０００３】
ところでリモコンは電子機器毎に存在し、電子機器が増えれば増えるほどリモコンの数が増える。リモコンには似た形状のものや操作ボタンが似た配置になっているものがあり、ユーザは複数あるリモコンのうち自身が使用したい電子機器のリモコンがどれであるかを探さなければならなかった。
【０００４】
そこで近年は複数の電子機器を操作可能なスマートフォンやタブレット等の携帯端末が提供されている。具体的には複数の電子機器と携帯端末とをＷｉ−Ｆｉ（登録商標）等によりネットワーク接続し、携帯端末がネットワーク内に存在するときに各電子機器から自機器を操作するための所定のＧＵＩ（グラフィックユーザインターフェース）が携帯端末に提供される。ＧＵＩを取得した携帯端末は表示部にＧＵＩを表示する。
【先行技術文献】
【特許文献】
【０００５】
【特許文献１】特開２００７−３１１９４７号公報
【発明の概要】
【発明が解決しようとする課題】
【０００６】
しかしながら従来において各電子機器から端末装置に提供されるＧＵＩは端末装置の如何を問わず同一のＧＵＩであった。端末装置にはその特徴に応じて使用しやすいＧＵＩと使用しにくいＧＵＩがあり、とある端末装置では使用しやすいＧＵＩであっても、他の端末装置では使用しにくいＧＵＩとなることがある。従って端末装置の如何を問わずに同一のＧＵＩを提供することでユーザビリティの低下を招くことがあった。特許文献１には使用者の年齢に応じてＧＵＩに表示させる機能の一部を制限することが記載されているが、端末装置の特徴に応じたＧＵＩを提供することは開示されていない。
【０００７】
本発明は上述した問題点に鑑み、端末装置をリモコンとして使用する際のユーザビリティを向上した電子機器及びＧＵＩ表示システムを提供することを目的とする。
【課題を解決するための手段】
【０００８】
上記目的を達成するために本発明の電子機器は、ネットワーク接続された端末装置の性能的特徴を示す情報を取得する特徴取得部と、前記特徴取得部が取得した性能的特徴に基づいて自機を操作するためのＧＵＩを生成するＧＵＩ生成部と、前記ＧＵＩ生成部が生成したＧＵＩを前記端末装置に送信する送信部と、を備えることを特徴としている。
【０００９】
また上記構成の電子機器において、前記ＧＵＩ生成部はさらに前記端末装置に対応付けられた使用者情報と前記端末装置に対応付けられた操作特徴情報と自機の使用状態情報の内、少なくとも１以上の情報にも基づいてＧＵＩを生成することが望ましい。
【００１０】
また上記構成の電子機器において、前記ＧＵＩ生成部はＧＵＩの表示領域内に優先領域に設定し、使用される可能性が高い機能を実行するためのアイコンを前記優先領域に配置することが望ましい。
【００１１】
また上記構成の電子機器において、前記ＧＵＩ生成部は前記端末装置がネットワークに接続したとき又は前記端末装置からのＧＵＩの生成要求に応じてＧＵＩを生成することが望ましい。
【００１２】
また上記構成の電子機器において、前記ＧＵＩ生成部は複数のアイコンを変更可能に配置したＧＵＩを生成することが望ましい。
【００１３】
上記目的を達成するために本発明のＧＵＩ表示システムは、ネットワーク接続された電子機器と端末装置とを備えるＧＵＩ表示システムであって、前記電子機器は前記端末装置の性能的特徴を示す情報を取得する特徴取得手段と、前記特徴取得手段が取得した性能的特徴に基づいて自機を操作するためのＧＵＩを生成するＧＵＩ生成手段と、前記ＧＵＩ生成手段が生成したＧＵＩを前記端末装置に送信する送信手段と、を備え、前記端末装置は前記送信手段から送信されたＧＵＩを受信する受信手段と、前記受信手段が受信したＧＵＩを表示する表示手段と、を備えることを特徴とする。
【発明の効果】
【００１４】
本発明によれば、電子機器はネットワーク接続された端末装置の性能的特徴を示す情報を取得し、性能的特徴に応じて自機を操作するためのＧＵＩを生成して端末装置にＧＵＩを出力する。つまり端末装置の性能的特徴を活用したＧＵＩが出力されるので、ユーザが自機を操作する際に端末装置の性能的特徴を活用することができる。
【図面の簡単な説明】
【００１５】
【図１】ＧＵＩ表示システム（ネットワークシステム）の一例を示す図
【図２】電子機器の一例を示す図
【図３】端末装置の一例を示す図
【図４】ＧＵＩ表示システムの流れを示すフローチャート
【図５】機器選択画面の一例を示す図
【図６】テレビ放送受信装置のリモコンの一例を示す図
【図７】ＧＵＩの第１例を示す図
【図８】ＧＵＩにおける優先領域の一例を示す図
【図９】ＧＵＩの第２例を示す図
【図１０】ＧＵＩの第３例を示す図
【図１１】図７のＧＵＩを表示した携帯電話の一例を示す図
【図１２】図９のＧＵＩを表示したスマートフォンの一例を示す図
【図１３】図１０のＧＵＩを表示したタブレット端末の一例を示す図
【図１４】ＧＵＩの第４例を示す図
【図１５】ＧＵＩの第５例を示す図
【図１６】ＧＵＩの第６例を示す図
【図１７】ＧＵＩの第７例を示す図
【発明を実施するための形態】
【００１６】
＜第１実施形態＞
以下に本発明の電子機器及びＧＵＩ表示システムについて図面を参照して説明する。なお、以下に示す実施形態は、本発明の技術的思想を具体化するために電子機器及びＧＵＩ表示システムの一例を示すものであって、本発明をこの電子機器及びＧＵＩ表示システムに特定することを意図するものではなく、特許請求の範囲に含まれるその他の実施形態のシステム及び機器にも等しく適応し得るものである。
【００１７】
図１は本実施形態のＧＵＩ表示システム（ネットワークシステム）の一例を示す図である。図１では２台の電子機器１−１及び電子機器１−２と１台の端末装置２がＷｉ−Ｆｉ接続されている状態を示すが、電子機器の台数は１台又は３台以上であってもよく、端末装置の台数は２台以上であってもよい。また、Ｗｉ−Ｆｉ以外の無線接続方式（例えばブルートゥース（登録商標））であってもよいし、有線にて接続されることとしてもよい。
【００１８】
本実施形態において図１に示す電子機器１−１及び１−２はテレビ放送受信装置であることとするが、電子機器としてはこれに限られるものではない。また、端末装置２は携帯電話又はスマートフォン又はタブレット端末であることとして説明を行うが電子機器１−１及び１−２を操作可能な端末であればこれに限られるものではない。Ｗｉ−Ｆｉは国際標準規格であるＩＥＥＥ８０２．１１規格を使用し、所定の範囲内において機器間の相互接続を確立する無線通信方式である。従って、例えば電子機器１−１及び１−２が家庭内に設置されている場合に、端末装置２を所持するユーザが帰宅することで端末装置２が電子機器１−１及び１−２を含むネットワークに接続され、端末装置２と電子機器１−１及び端末装置２と電子機器１−２との接続が確立される。
【００１９】
以下、電子機器１−１及び１−２、端末装置２について図２及び図３を参照して説明を行う。なお、以下の説明において電子機器１−１と１−２を区別する必要がない場合は単に電子機器１と称する。図２は電子機器１の構成の一例を示す図である。図３は端末装置２の構成の一例を示す図である。
【００２０】
図２を参照して電子機器１はネットワーク内に存在する他の機器や端末と通信を行う通信部１１、自機を操作するためのＧＵＩを生成するＧＵＩ生成部１２、所定の情報を記憶する記憶部１３及び電子機器１全体を制御する制御部１４を備える。
【００２１】
通信部１１はネットワーク内に存在する他の機器や端末と通信を行い、他の機器や端末に対して情報を送信する送信部１１１と他の機器や端末から情報を受信する受信部１１２を有する。本実施形態において送信部１１１は端末装置２にＧＵＩを送信する。受信部１１２は端末装置２から送信されるＧＵＩ生成要求情報及び端末装置２の機器情報を受信する。端末装置２の機器情報とは端末装置２のＭＡＣアドレス等の識別情報及び端末装置２の機種情報（販売元メーカや製品名等、端末装置２の機種が特定可能な情報）を含む情報である。
【００２２】
ＧＵＩ生成部１２は自機を操作するためのＧＵＩを生成する。特に本実施形態でＧＵＩ生成部１２は後述する特徴取得部１４１が取得する端末装置２の性能的特徴に基づいてＧＵＩを生成する。ＧＵＩの生成に関する詳細は後述する。
【００２３】
なお、端末装置２の性能的特徴を示す情報とは、端末装置２の仕様及びスペックを示す情報であり、具体的には後述する端末装置２の表示部２２の入力方式（タッチパネルに対応しているか否か）、端末装置２の表示部２２の画面サイズ等の情報である。
【００２４】
記憶部１３は所定の情報を記憶する。記憶部１３が記憶する情報としては例えばＧＵＩ生成部１２が生成したＧＵＩ、端末装置２の性能的特徴を示す情報が含まれる。なお、記憶部１３はＧＵＩ生成部１２が生成した全てのＧＵＩを記憶する必要はなく、ＧＵＩ生成の基礎となるＧＵＩのみを選択して記憶することとしてもよい（詳細は後述）。
【００２５】
制御部１４は電子機器１全体を制御する制御手段であり、特徴取得部１４１を備える。特徴取得部１４１はネットワーク接続された端末装置２の性能的特徴を示す情報を取得する。なお、本実施形態では端末装置２の性能的特徴を示す情報を端末装置２から取得することとするが、端末装置２の機器情報に含まれる機種情報に基づいて端末装置２の性能的特徴を示す情報をインターネットを介して外部から取得することとしてもよい。
【００２６】
また本実施形態では説明の簡素化のために制御部１４が特徴取得部１４１を備える構成としているが、制御部１４がネットワーク接続された端末装置２の性能的特徴を示す情報を取得することとしてもよいし、制御部１４とは別構成としてネットワーク接続された端末装置２の性能的特徴を示す情報を取得する特徴取得部を備えることとしてもよい。
【００２７】
図３を参照して端末装置２はネットワーク内に存在する他の機器や端末と通信を行う通信部２１、電子機器１から取得したＧＵＩを表示する表示部２２及び端末装置２全体を制御する制御部２３を備える。
【００２８】
通信部２１はネットワーク内に存在する他の機器や端末と通信を行い、他の機器や端末に対して情報を送信する送信部２１１と他の機器や端末から情報を受信する受信部２１２を有する。送信部２１１は自端末の性能的特徴を示す情報、ＧＵＩの生成要求情報及び自端末の機器情報を送信する。また受信部２１２は電子機器１から送信されるＧＵＩを受信する。
【００２９】
表示部２２は液晶パネル等のディスプレイであり、電子機器１を操作する際には電子機器１から取得したＧＵＩを表示部２２上に表示する。端末装置２がスマートフォン又はタブレット端末である場合に表示部２２はタッチパネル式のディスプレイである。
【００３０】
制御部２３は端末装置２全体を制御する制御手段である。本実施形態において制御部２３は受信部２１２が取得したＧＵＩを表示部２２に表示する制御を行う。
【００３１】
次に図４を参照して本実施形態のＧＵＩ表示システムについて説明する。図４はＧＵＩ表示システムの流れを示すフローチャートである。図４において紙面に対して左側のフローチャートは電子機器１の制御部１４が実行する処理の流れを示すフローチャートであり、右側のフローチャートは端末装置２の制御部２３が実行する処理の流れを示すフローチャートである。
【００３２】
ステップＳ０１において端末装置２の制御部２３は電子機器１を含むネットワークへの接続を確立する。例えばネットワークが家庭内ネットワークであれば端末装置２を所持するユーザが外出先から帰宅した際にネットワーク接続を確立する。
【００３３】
ステップＳ０２において電子機器１の制御部１４は端末装置２からＧＵＩの生成要求があったか否かを判定する。ＧＵＩの生成要求はネットワーク接続を確立した端末装置２から電子機器１に対して送信されることとしてもよいし、端末装置２がネットワークに接続した場合に電子機器１に対するＧＵＩの生成要求があったこととしてもよい。本実施形態においてネットワークには電子機器１−１及び１−２が存在しているため、前者の場合に端末装置２はいずれか一方の電子機器１を指定してＧＵＩの生成要求を行い、後者の場合に端末装置２は自動的に両電子機器１に対してＧＵＩの生成要求を行ったことになる。
【００３４】
端末装置２でＧＵＩの生成要求を行う電子機器１を指定する場合は例えば端末装置２にインストールされているアプリを起動して操作先の機器を指定する（図５参照）。図５では電子機器１−１及び１−２のうち電子機器１−１を選択して決定した状態を示している。
【００３５】
端末装置２からＧＵＩの生成要求があった場合（ステップＳ０２のＹ）はステップＳ０３に進み、端末装置２からＧＵＩの生成要求がない場合（ステップＳ０２のＮ）はステップＳ０２に戻る。
【００３６】
ステップＳ０３において電子機器１の制御部１４は端末装置２の性能的特徴を示す情報を端末装置２から取得する。なお、本実施形態ではＧＵＩの生成要求を受け取ってから端末装置２の性能的特徴を示す情報を取得することとしているが、端末装置２の性能的特徴を示す情報を取得するタイミングはこれに限られない。後述するステップＳ０４でＧＵＩを生成する前に取得することとすればよく、例えば、端末装置２がネットワークに接続したとき、端末装置２からのＧＵＩの生成要求と同時、その他のタイミングで端末装置２の性能的特徴を示す情報を端末装置２から取得することとしてもよい。
【００３７】
ステップＳ０４において電子機器１の制御部１４はＧＵＩ生成部１２を制御してステップＳ０３で取得した端末装置２の性能的特徴を示す情報に基づいてＧＵＩを生成する。以下、端末装置２の性能的特徴として端末装置２の入力方式を示す情報及び端末装置２の表示部２２の画面サイズを示す情報を取得した場合を例に説明する。一般に携帯電話の入力方式はキー操作方式（ボタンを押下する方式）であり、スマートフォンやタブレット端末の入力方式はタッチパネル方式である。また、画面サイズは携帯電話が最も小さく、タブレット端末が最も大きいことが多い。
【００３８】
一般的なテレビ放送受信装置のリモコン（テレビ放送受信装置に付属しているリモコン）は図６に示すように電源ボタン４１、数字ボタン４２、選局ボタン４３、音量ボタン４４、移動／決定ボタン４５、録画再生ボタン４６等各テレビ放送受信装置が備える機能を実行するための様々なボタンが備えられている。しかしながら端末装置２では所定の画面サイズの表示部２２内にテレビ放送受信装置の機能を実行するためのアイコンを並べなければならず、端末装置２の表示部２２の画面サイズによっては全てのボタンを配置することができない場合がある。そこで制御部１４は端末装置２の表示部２２の画面サイズに応じて表示部２２に表示する複数のアイコンを選択して選択したアイコンを含むＧＵＩを生成する。
【００３９】
また、入力方式がキー操作方式である携帯電話でテレビ放送受信装置を操作する場合には、表示部２２に表示されたＧＵＩにおいて携帯電話が備える移動／決定ボタン（図１１で符号５１で示す）を操作してカーソルを移動して所望のアイコンを選択して決定することで所望の機能を実行させることになる。表示部２２に表示されたＧＵＩにおいてカーソルの初期位置は特には限られるものではないが、例えばカーソルの初期位置がＧＵＩの上部に位置している場合（図７では「電源」アイコンをカーソルの初期位置としている）には、ＧＵＩの上部を優先領域に設定して使用頻度の高い機能を実行するためのアイコンを優先領域に配置することで利便性が高まる（図７参照）。
【００４０】
なお、使用頻度の高い機能としては特に限られるものではないが、テレビ放送受信装置の場合には、本実施形態では図５に示すリモコンの電源ボタン４１、数字ボタン４２、選局ボタン４３、音量ボタン４４が使用頻度の高いボタンであるものとしてこれに対応するアイコンをＧＵＩの優先領域に表示する。
【００４１】
さらに例えば携帯電話が備える数字ボタン（図１１で符号５２で示す）にチャンネル番号入力機能をもたせてチャンネル番号を入力可能としてもよい。具体的には図７に示すＧＵＩで「ＣＨ入力」アイコンを選択実行した上で数字ボタン５２を押下することでチャンネル番号を入力することができる。チャンネル番号を入力すると、例えば図７及び図１１に示すように入力チャンネル表示位置５３に入力したチャンネル番号が表示される（図７では「０１０」が入力された状態を示している）。
【００４２】
一方、入力方式がタッチパネル方式であるスマートフォン及びタブレット端末は指で直接表示部２２を触ることでアイコンが選択実行される。画面サイズが比較的小さいスマートフォンは一方の手（片手）でスマートフォンの下部を保持しつつその手の親指で画面を触って操作することが多い。一方、画面サイズが比較的大きいタブレット端末は一方の手でタブレット端末を保持した状態で他方の手の指（人差し指等）で画面を触って操作することが多い。
【００４３】
スマートフォンの場合は上述したように一方の手でスマートフォンを保持しながら親指で画面に触れるため、この状態で操作可能な（操作を行い易い）範囲は親指の付け根を中心として親指の長さを半径とする円の範囲（図８にて斜線で示す範囲）内である。従ってスマートフォンの場合にはこの片手での操作可能範囲内を優先領域に設定して使用頻度の高い機能を実行するためのアイコンを優先領域に配置する（図９参照）。
【００４４】
タブレット端末の場合は他方の手（タブレット端末を保持する手でない方の手）を画面操作のみに使用可能であり、操作可能範囲は画面全体に及ぶため例えば図５に示す一般的なリモコンが備えるボタンに対応するアイコンを配置することとすればよい。また、タブレット端末の画面サイズがアイコンを表示するのに必要なサイズを上回る場合には各アイコンの説明等を表示することとしてもよい（図１０参照）。なお、タブレット端末においても優先領域を設定して優先領域に使用頻度の高い機能を実行するためのアイコンを表示することとしてもよい。
【００４５】
ステップＳ０５において電子機器１の制御部１４はステップＳ０４で生成したＧＵＩを通信部１１の送信部１１１を介して端末装置２に送信する。ステップＳ０６において端末装置２の制御部２３は通信部２１の受信部２２２を介してＧＵＩを取得したか否かを判定する。電子機器１からＧＵＩを取得していれば（ステップＳ０６のＹ）ステップＳ０７に進み、電子機器１からＧＵＩを取得していなければ（ステップＳ０６のＮ）ステップＳ０６に戻る。
【００４６】
ステップＳ０７において端末装置２の制御部２３はステップＳ０６で取得したＧＵＩを表示部２２に表示する（図１１〜図１３参照）。以降、電子機器１の制御部１４は端末装置２からＧＵＩの生成要求を受け取る度にＧＵＩを生成して端末装置２に送信する。次回以降に端末装置２がＧＵＩの生成要求を行うタイミングは特に限られるものではなく、定期的に行うこととしてもよいし、不定期に行うこととしてもよい。
【００４７】
本実施形態によれば、電子機器はネットワーク接続された端末装置の性能的特徴を示す情報を取得し、性能的特徴に応じて自機を操作するためのＧＵＩを生成して端末装置にＧＵＩを出力する。つまり端末装置の性能的特徴を活用したＧＵＩが出力されるので、ユーザが自機を操作する際に端末装置の性能的特徴を活用することができる。
【００４８】
また、ＧＵＩの表示領域内に操作利便性を考慮した優先領域を設定し、優先領域に使用される可能性が高い機能を実行するためのアイコンを配置する。従って操作利便性が向上する。
【００４９】
＜第２実施形態＞
上記第１実施形態において電子機器１の制御部１４はＧＵＩ生成部１２を制御して端末装置２の性能的特徴を示す情報に基づいてＧＵＩを生成することとした。本実施形態ではさらに、端末装置２に対応付けられた使用者情報にも基づいてＧＵＩを生成する。
【００５０】
端末装置２に対応付けられた使用者情報とは端末装置２の使用者がどの者かを示す情報である。例えば端末装置２の使用者が複数の年齢別区分、続柄別区分等のうちいずれの区分に属するかの情報を端末装置２の機器情報に対応付けて記憶部１３に記憶し、端末装置２からのＧＵＩの生成要求を受けた際にＧＵＩ生成部２２を制御して性能的特徴を示す情報と使用者区分とに基づいてＧＵＩを生成する。
【００５１】
例えば図９に示すスマートフォンにおいて使用者の年齢区分が１０歳未満である場合にその使用者に対しては優先領域以外のアイコンを表示しないこととしてもよい。また、例えば使用者の続柄区分が子である場合にその使用者に対しては優先領域以外のアイコンを表示しないこととしてもよい。どの区分に属する場合にどのような処理を行うかは特に限られるものではなく適宜設定可能とすればよい。
【００５２】
本実施形態によれば第１実施形態と同様の効果を奏する。加えて、端末装置に対応付けられた使用者情報にも基づいてＧＵＩを生成するので端末装置の使用者に応じて適切なＧＵＩを提供することができる。
【００５３】
＜第３実施形態＞
上記第１実施形態において電子機器１の制御部１４はＧＵＩ生成部１２を制御して端末装置２の性能的特徴を示す情報に基づいてＧＵＩを生成することとした。本実施形態ではさらに、端末装置２に対応付けられた操作特徴情報にも基づいてＧＵＩを生成する。
【００５４】
端末装置２に対応付けられた操作特徴情報とは端末装置２の使用者が端末装置２を使用する際にどのような態様で端末装置２を使用するかを示す情報である。具体的には図９に示すＧＵＩは右手でスマートフォンを保持して右手の親指で画面操作を行うことを想定したＧＵＩであるが、人によってはスマートフォンを左手で保持して左手の親指で画面操作を行うことが考えられる。
【００５５】
従って本実施形態では左手で操作することを想定したＧＵＩも併せて生成し（図１４参照）、ユーザがいずれかを選択可能とする。なお、制御部１４は例えばスマートフォンの機器情報とユーザが操作の際に使用する手（右手又は左手）とを対応付けて記憶部２３に記憶し、次回以降に当該機器情報のスマートフォンからＧＵＩの生成要求を受けたときは当該機器情報に対応付けられた右手操作用又は左手操作用のＧＵＩを生成することとしてもよい。
【００５６】
本実施形態によれば第１実施形態と同様の効果を奏する。加えて、端末装置に対応付けられた操作特徴情報にも基づいてＧＵＩを生成するので端末装置の使用者の操作特徴に応じて最適なＧＵＩを提供することができる。
【００５７】
＜第４実施形態＞
上記第１実施形態において電子機器１の制御部１４はＧＵＩ生成部１２を制御して端末装置２の性能的特徴を示す情報に基づいてＧＵＩを生成することとした。本実施形態ではさらに、自機の使用状態情報にも基づいてＧＵＩを生成する。
【００５８】
自機の使用状態情報とはテレビ放送受信装置であれば、テレビ放送を視聴しているか、外部接続された光ディスク装置でＤＶＤやＢＤ等を視聴するために外部入力に切り替えられているか、インターネットを介して視聴可能な映像を視聴しているか等自機がどのように使用されているかを示す情報である。端末装置２がスマートフォンである場合を例に説明すると、テレビ放送受信装置にてテレビ放送を視聴中であれば図９に示すＧＵＩを生成する。
【００５９】
テレビ放送受信装置が外部入力状態であれば選局ボタンに対応するアイコンは不要であることから図１５に示すように録画再生ボタンに対応するアイコンを表示する。テレビ放送受信装置にてインターネットを介して視聴可能な映像を視聴している場合には、図１６に示すように映像を配信する他のホームページへのリンクやブラウザ機能を実行可能なアイコンを表示する。
【００６０】
また、さらに詳細な自機の使用状態情報に基づいてＧＵＩを生成してもよく、例えばテレビ放送を視聴中であって、ＣＭ視聴中にはチャンネル切り替えが実行される可能性が高いことから最も操作しやすい位置（最優先領域）に最も使用される可能性が高い機能を実行するためのアイコンを配置することとしてもよい。具体的には図１７に示すようにＣＭ視聴中には選局ボタンに対応するアイコンをＧＵＩの右下に設定された最優先領域に配置する。
【００６１】
また例えばインターネットを介して視聴可能な映像を視聴している最中にインターネット接続が切断された場合に、他のホームページへのリンクとして表示されたアイコンを削除することとしてもよい。
【００６２】
本実施形態によれば第１実施形態と同様の効果を奏する。加えて、電子機器の使用状態情報にも基づいてＧＵＩを生成するので電子機器の使用状態に応じて最適なＧＵＩを提供することができる。
【００６３】
なお、第２実施形態〜第４実施形態は互いに組み合わせてもよい。すなわち、ＧＵＩ生成部１２は少なくとも端末装置２の性能的特徴を示す情報に基づいてＧＵＩを生成し、端末装置２に対応付けられた使用者情報と端末装置２に対応付けられた操作特徴情報と電子機器１の使用状態情報の内、少なくとも１以上の情報にも基づいてＧＵＩを生成することとしてもよい。
【００６４】
＜補足＞
上記各実施形態によれば、端末装置２の表示部２２にはＧＵＩ生成部１２で生成されたＧＵＩが表示されるが、表示されたＧＵＩを任意にカスタマイズ可能であることとしてもよい。例えばアイコンの配置を自身の好みの配置としたり、配置されているアイコンを削除し及び／又は配置されていないアイコンを追加可能としてもよい。
【００６５】
配置されていないアイコンとしては図６に示す一般的なリモコンには存在していないボタンに対応するアイコンを配置可能としてもよい。例えば図６に示すメニューボタンを押下して所定の操作を行うことで確認可能な録画予約番組の一覧を表示するアイコン等を配置可能としてもよい。
【００６６】
ユーザによってＧＵＩがカスタマイズされた場合に端末装置２の制御部２３は送信部２２２を介してカスタマイズ情報を電子機器１に送信することとしてもよい。カスタマイズ情報を取得した電子機器１の制御部１４は端末装置２の機器情報にカスタマイズ情報を対応付けて記憶部２３に記憶し、次回以降に端末装置２のＧＵＩ生成要求を受けた場合に、カスタマイズ情報にも基づいてＧＵＩを生成することで、より使用者に応じた最適なＧＵＩを生成することができる。
【００６７】
また、端末装置２の制御部２３は操作履歴情報を電子機器１に送信することとしてもよい。すなわち、上述したようにアイコンを追加してはいないが、使用者がメニューボタンから所定の操作を行って録画予約番組の一覧の表示を実行した場合に、当該操作履歴情報を電子機器１に送信する。電子機器１の制御部１４は端末装置２の機器情報に操作履歴情報を対応付けて記憶部２３に記憶し、次回以降に端末装置２のＧＵＩ生成要求を受けた場合に、操作履歴情報にも基づいてＧＵＩを生成することで、より使用者に応じた最適なＧＵＩを生成することができる。
【符号の説明】
【００６８】
１      電子機器
２      端末装置
１１、２１      通信部
１２      ＧＵＩ生成部
１３      記憶部
１４、２３      制御部
２２      表示部
４１      電源ボタン
４２、５２      数字ボタン
４３、５１      移動／決定ボタン
４４      音量ボタン
４５      選局ボタン
４６      録画再生ボタン
５３      入力チャンネル表示位置
【図２】
2015018367.tif 000003
【図３】
2015018367.tif 000004
【図４】
2015018367.tif 000005
【図５】
2015018367.tif 000006
【図６】
2015018367.tif 000007
【図９】
2015018367.tif 000008
【図１０】
2015018367.tif 000009
【図１２】
2015018367.tif 000010
【図１３】
2015018367.tif 000011
【図１４】
2015018367.tif 000012
【図１５】
2015018367.tif 000013
【図１６】
2015018367.tif 000014
【図１７】
2015018367.tif 000015
【図１】
2015018367.tif 000016
【図７】
2015018367.tif 000017
【図８】
2015018367.tif 000018
【図１１】
2015018367.tif 000019